(57)【要約】【課題】洗濯物を空間に吊るして乾燥をおこなう場合に使用される洗濯乾燥装置において、洗濯物を鉛直軸中心に往復回転揺動させることで、吊るされた洗濯物を視覚的な変化を少なくでき、また、物干し竿の動作に伴う変位幅を極力小さくすることができる洗濯乾燥方法と洗濯乾燥装置を提供することを目的としている。【解決手段】軸断面形状が円形の物干し竿３と、物干し竿３を回転動作させる動作手段とを備え、物干し竿３には洗濯物が掛けられたハンガー４が吊るされ、物干し竿３の表面には物干し竿３の回転動作に伴いハンガー４の水平角度を変化させることのできる誘導手段を備え、洗濯物を視覚的にゆったりとした動作をさせることで、干された洗濯物に対する視覚的な変化を少なくできる。【選択図】図１
2008245689.tif 000002
【特許請求の範囲】
【請求項１】
物干し竿にハンガーを介して掛けられた洗濯物の乾燥を促進するように、前記洗濯物を鉛直軸中心に回転させる洗濯乾燥方法。
【請求項２】
軸断面形状が円形の物干し竿と、前記物干し竿を回転動作させる動作手段とを備え、前記物干し竿には洗濯物が掛けられたハンガーが吊るされ、前記物干し竿の表面には前記物干し竿の回転動作に伴い前記ハンガーの水平角度を変化させることのできる誘導手段を備えた洗濯乾燥装置。
【請求項３】
動作手段として物干し竿の軸中心で連続回転させる請求項２記載の洗濯乾燥装置。
【請求項４】
物干し竿の軸中心から偏芯させた支軸にて前記物干し竿を振り子動作させる請求項２記載の洗濯乾燥装置。
【請求項５】
動作手段としてモータと揺動スライダ−クランク機構を備え、前記揺動スライダークランク機構の揺動運動面と物干し竿の軸が垂直となるように配置した請求項２または４記載の洗濯乾燥装置。
【請求項６】
誘導手段として物干し竿の円周表面を連続的に窪ませた溝を備え、前記溝の窪みに沿ってハンガーが吊るされ、前記溝の窪みの軌跡が、前記物干し竿の長軸に垂直となる第１の仮想平面を横断するように前記溝が備えられている請求項２〜５のいずれかに記載の洗濯乾燥装置。
【請求項７】
溝の窪みに対する断面形状として、溝の側面に勾配を設けた楔形状もしくは逆台形形状とした請求項６記載の衣類乾燥装置。
【請求項８】
溝の窪み最深部の軌跡が第２の仮想平面上に存在し、前記第２の仮想平面が第１の仮想平面に対して一定の角度を有している請求項６または７記載の洗濯乾燥装置。
【請求項９】
物干し竿の円周表面上に形成される溝の輪郭線が存在する第３の仮想平面が、第１の仮想平面に対して略平行である請求項８記載の洗濯乾燥装置。
【請求項１０】
溝の窪み最深部の軌跡の形状が正円となる請求項７または８に記載の洗濯乾燥装置。
【請求項１１】
洗濯物に対して送風できる送風手段を備え、送風手段の吐出口を物干し竿の近傍に設けたことを特徴とする請求項２〜７のいずれかに記載の衣類乾燥装置。
【請求項１２】
送風手段として物干し竿の軸と平行となる回転軸を備えたクロスフローファンを用いる請求項８記載の洗濯乾燥装置。
【請求項１３】
室内空気を排気できる排気手段を物干し竿の近傍に設けたことを特徴とする請求項１１または１２に記載の洗濯乾燥装置。
【発明の詳細な説明】
【技術分野】
【０００１】
本発明は、洗濯物を物干し竿に吊るし、洗濯物を揺らすことにより洗濯物の乾燥をおこなう場合に使用される、洗濯乾燥方法と洗濯乾燥装置に関する。
【背景技術】
【０００２】
従来、この種の物干し装置を図８を参照しながら説明する。物干し装置１０１は、屋外または室内において使用され、衣類を掛けるための物干し竿１０２は竿受け１０３によって支持され、竿受け１０３は回転軸１０４を中心としてモータ１０５で揺動させることにより物干し竿１０２を軸方向に往復運動させ、竿１０２に吊るされた洗濯物を揺らすことにより洗濯物近傍の空気を間接的に動かし、洗濯物の乾燥を促進させるものである。また、モータ１０５と回転軸１０４は支柱１０６に固定されている（例えば、特許文献１参照）。
【特許文献１】特開２００５−２８８１２４号公報
【発明の開示】
【発明が解決しようとする課題】
【０００３】
特許文献１に例示されるような従来の物干し装置は、モータ１０５を動作させることにより、洗濯物が吊るされている物干し竿１０２を軸方向に往復運動させていた。一方、近年増加している洗濯物の室内干しに使われることを考慮すると、物干し竿１０２に吊るされた洗濯物は忙しなく揺れ動き、視覚的に変化が多いことにより居住者にとって煩わしく感じられ、居住者が落ち着いて生活を営めないといった課題があった。また、物干し竿１０２は軸方向の末端部が物干し装置から突出する動作を繰り返すこととなり、物干し竿の末端部が人や物にあたることで人や物を傷つけるという課題があった。
【０００４】
本発明はこのような従来の課題を解決するものであり、洗濯物を鉛直軸中心に往復回転揺動させることで、吊るされた洗濯物を視覚的な変化を少なくでき、また、物干し竿の変位動作を極力小さくすることができる洗濯乾燥方法と洗濯乾燥装置を提供することを目的としている。
【課題を解決するための手段】
【０００５】
本発明の洗濯乾燥方法と洗濯乾燥装置は、上記目的を達成するように、物干し竿にハンガーを介して掛けられた洗濯物の乾燥を促進するために、前記洗濯物を鉛直軸中心に回転させるものである。この手段により、洗濯物を視覚的にゆったりとした動作をさせることで、干された洗濯物に対する視覚的な変化を少なくできる。
【０００６】
また、他の手段は、軸断面形状が円形の物干し竿と、前記物干し竿を回転動作させる動作手段とを備え、前記物干し竿には洗濯物が掛けられたハンガーが吊るされ、前記物干し竿の表面には前記物干し竿の回転動作に伴い前記ハンガーの水平角度を変化させることのできる誘導手段を備えたものである。これにより、物干し竿の変位動作を小さくすることができる。
【０００７】
また、他の手段は、動作手段として物干し竿の軸中心で連続回転させるものである。これにより、モータの回転方向が単方向でよい為、安価な誘導式交流モータを使うことができるができる。
【０００８】
また、他の手段は、物干し竿の軸中心から偏芯させた支軸にて前記物干し竿を振り子動作させるものである。これにより、動作手段における省エネルギー化を図ることができる。
【０００９】
また、他の手段は、動作手段としてモータと揺動スライダークランク機構を備え、前記揺動スライダークランク機構の揺動運動面と物干し竿の軸が垂直となるように配置したものである。これにより、モータの回転方向が単方向でよい為、安価な誘導式交流モータを使うことができるができる。
【００１０】
また、他の手段は、誘導手段として物干し竿の円周表面を連続的に窪ませた溝を備え、前記溝の窪みに沿ってハンガーが吊るされ、前記溝の窪みの軌跡が、前記物干し竿の長軸に垂直となる第１の仮想平面を横断するように前記溝が備えられたものである。これにより、ハンガーに吊られた洗濯物を確実に回転動作させることができる。
【００１１】
また、他の手段は、溝の窪みに対する断面形状として、溝の側面に勾配を設けた楔形状もしくは逆台形形状としたものである。これにより、ハンガー幅の大小に関わらず、溝とハンガーとの間でクリアランスが生じないので合理的にハンガーの向きを誘導できる。
【００１２】
また、他の手段は、溝の窪み最深部の軌跡が第２の仮想平面上に存在し、前記第２の仮想平面が第１の仮想平面に対して一定の角度を有しているものである。これにより、ハンガーがスムーズに動作することができる。
【００１３】
また、他の手段は、物干し竿の円周表面上に形成される溝の輪郭線が存在する第３の仮想平面が、第１の仮想平面に対して略平行であるものである。これにより、物干し竿の回転角度に関わらず、ハンガーを容易かつ確実に溝の窪みに沿って吊るすことができ、物干し作業時の負担を軽減することができる。
【００１４】
また、他の手段は、溝の窪み最深部の軌跡の形状が正円となるものである。これにより、ハンガーがスムーズに動作することができる。
【００１５】
また、他の手段は、洗濯物に対して送風できる送風手段を備え、送風手段の吐出口を物干し竿の近傍に設けたものである。これにより、さらに効果的な洗濯物の乾燥を促進することができる。
【００１６】
また、他の手段は、送風手段として物干し竿の軸と平行となる回転軸を備えたクロスフローファンを用いたものである。これにより、物干し竿に干された複数の洗濯物に対して均等に送風ができる。
【００１７】
また、他の手段は、室内空気を排気できる排気手段を物干し竿の近傍に設けたものである。これにより、洗濯物から発生する水蒸気を排気することができる。
【発明の効果】
【００１８】
本発明によれば、物干し竿を物干し竿の長軸中心にて回転動作または往復揺動することで、洗濯物を鉛直軸中心に回転させることにより、吊るされた洗濯物に視覚的な変化を少なくでき、物干し竿の変位動作を極力小さくすることができる洗濯乾燥方法と洗濯乾燥装置を提供することができる。また、確実で合理的かつスムーズにハンガーの動作ができる、コストを安価にすることができる、などの効果も奏する。
【発明を実施するための最良の形態】
【００１９】
本発明の請求項１記載の発明は、物干し竿にハンガーを介して掛けられた洗濯物の乾燥を促進するように、前記洗濯物を鉛直軸中心に回転させるため、洗濯物を視覚的にゆったりとした動作をさせることで、干された洗濯物に対する視覚的な変化を少なくできるという作用を有する。
【００２０】
本発明の請求項２記載の発明は、軸断面形状が円形の物干し竿と、前記物干し竿を回転動作させる動作手段とを備え、前記物干し竿には洗濯物が掛けられたハンガーが吊るされ、前記物干し竿の表面には前記物干し竿の回転動作に伴い前記ハンガーの水平角度を変化させることのできる誘導手段を備えたため、物干し竿の変位動作を極力小さくできるという作用を有する。
【００２１】
本発明の請求項３記載の発明は、動作手段として物干し竿の軸中心で連続回転させたため、モータの回転方向が単方向でよい為、安価な誘導式交流モータを使うことができるという作用を有する。
【００２２】
本発明の請求項４記載の発明は、物干し竿の軸中心から偏芯させた支軸にて前記物干し竿を振り子動作たため、動作手段における省エネルギー化を図ることができるという作用を有する。
【００２３】
本発明の請求項５記載の発明は、動作手段としてモータと揺動スライダ−クランク機構を備え、揺動スライダークランク機構の揺動運動面と物干し竿の軸が垂直となるように配置したため、モータの回転方向が単方向でよい為、安価な誘導式交流モータを適用できるという作用を有する。
【００２４】
本発明の請求項６記載の発明は、誘導手段として物干し竿の円周表面を連続的に窪ませた溝を備え、前記溝の窪みに沿ってハンガーが吊るされ、前記溝の窪みの軌跡が、前記物干し竿の長軸に垂直となる第１の仮想平面を横断するように前記溝が備えられため、ハンガーに吊られた洗濯物を確実に回転動作させることができるという作用を有する。
【００２５】
本発明の請求項７記載の発明は、溝の窪みに対する断面形状として、溝の側面に勾配を設けた楔形状もしくは逆台形形状としたため、ハンガー幅の大小に関わらず、溝とハンガーとの間でクリアランスが生じないので合理的にハンガーの向きを誘導できるという作用を有する。
【００２６】
本発明の請求項８記載の発明は、溝の窪み最深部の軌跡が第２の仮想平面上に存在し、前記第２の仮想平面が第１の仮想平面に対して一定の角度を有しているため、ハンガーがスムーズに動作することができるという作用を有する。
【００２７】
本発明の請求項９記載の発明は、物干し竿の円周表面上に形成される溝の輪郭線が存在する第３の仮想平面が、第１の仮想平面に対して略平行であるため、物干し竿の回転角度に関わらず、ハンガーを容易かつ確実に溝の窪みに沿って吊るすことができ、物干し作業時の負担を軽減することができるという作用を有する。
【００２８】
本発明の請求項１０記載の発明は、溝の窪み最深部の軌跡の形状が正円となるため、ハンガーがスムーズに動作できるという作用を有する。
【００２９】
本発明の請求項１１記載の発明は、洗濯物に対して送風できる送風手段を備え、送風手段の吐出口を物干し竿の近傍に設けたため、さらに効果的な洗濯物の乾燥を促進できるという作用を有する。
【００３０】
本発明の請求項１２記載の発明は、送風手段として物干し竿の軸と平行となる回転軸を備えたクロスフローファンを用いたため、物干し竿に干された複数の洗濯物に対して均等に送風ができるという作用を有する。
【００３１】
本発明の請求項１３記載の発明は、室内空気を排気できる排気手段を物干し竿の近傍に設けたため、洗濯物から発生する水蒸気を排気できるという作用を有する。
【００３２】
以下、本発明の実施の形態について図１〜図７を参照しながら説明する。
【００３３】
（実施の形態１）
図１は本発明の実施の形態１における洗濯乾燥装置の断面図を示したものであり、図２は本発明の実施の形態１における洗濯乾燥装置の外観斜視図を示したものである。本発明の実施の形態１における洗濯乾燥装置は、壁面や天井面など住宅の躯体部分に取りけられた二本の支持アーム１Ａ、１Ｂの各々の先端部には動作基台２Ａと支持基台２Ｂが設けられ、これら動作基台２Ａと支持基台２Ｂの各々より水平支持された軸断面が正円となる物干し竿３が備えられている。物干し竿３にはハンガー４に掛けられた洗濯物が吊るされている。
【００３４】
次に、動作基台２Ａの内部構成について詳細に説明する。動作基台２Ａの筐体６Ａには筐体６Ａに保持された軸受７Ａが備えられ、物干し竿３が軸受７Ａによりラジアル方向に回転自在に支持されている。具体的には、筐体６Ａに導入されているＡ‐Ａ’を中心とする物干し竿３の竿回転軸５Ａが軸受７Ａでラジアル方向に回転自在に支持されている。また、動作手段としての減速機付きモータ８が筐体６Ａの内部に防振ゴムなどの防振部材（図示せず）を介在させて収容されており、この減速機付きモータ８はモータ部９と減速機部１０とからなり、モータ部９の回転軸１１が減速機部１０の入力軸となり、回転軸１１の回転が減速機部１０において減速され、その出力軸１２より低速回転が出力される。筐体６Ａに導入されているＡ‐Ａ’を中心とする物干し竿３の竿回転軸５Ａには歯車１３が、減速機部１０の出力軸１２に備えられた歯車（図示せず）に噛合い、減速機付きモータ８が駆動することにより物干し竿３が当該軸中心で低速回転することとなる。筐体６Ａの内部には、減速機付モータ８の回転数および回転方向および動作タイミングを任意に制御することができる制御手段１４が設けられており、減速機付きモータ８のモータ部９に対して制御信号が伝達できる電気信号線で接続されている。減速機付きモータ８のモータ部９は制御手段１４により回転方向と回転数を制御できるものであり、例えば直流ブラシレスモーターなどが用いられる。
【００３５】
次に，支持基台２Ｂの内部構成について詳細に説明する。支持基台２Ｂの筐体６Ｂには筐体６Ｂに保持された軸受７Ｂが備えられ、物干し竿３の竿回転軸５Ｂが軸受７Ｂによりラジアル方向に回転自在に支持されている。具体的には筐体６Ｂに導入されているＡ‐Ａ’を中心とする物干し竿３の竿回転軸５Ｂが軸受７Ｂでラジアル方向に回転自在に支持されている。
【００３６】
物干し竿３には、物干し竿３の回転に伴って物干し竿３に吊られたハンガー４の水平角度を変化させる誘導手段としての溝１６が設けられている。物干し竿３の円周表面１５において、溝１６の両縁に平行に備えられた溝の輪郭線１７の間には溝の窪み最深部１８が備えられていおり、溝１６は各々単独で環状につながっている。溝の窪み最深部１８の軌跡は第２の仮想平面Ｚ‐Ｚ’に存在し、第２の仮想平面Ｚ‐Ｚ’と物干し竿３の軸中心線であるＡ‐Ａ’に対して垂直となる第１の仮想平面Ｙ‐Ｙ’にて構成される角度θ１は、一定の角度（本実施の形態では例えば１５°）を有している。物干し竿３は軸断面形状が円形であるので、溝の窪み最深部１８の軌跡は必然的に楕円形状で構成されることとなり、溝の窪み最深部１８を接点とするハンガー４は溝１６の向きに対してスムーズに誘導されることとなる。また、溝１６の窪みの形状を円周方向に対して深さを変化させることにより、溝の窪み最深部１８の軌跡を正円とすることもでき、更にハンガー４は溝１６の向きに対してスムーズに誘導されることとなる。また、溝１６の進路方向に対する断面形状としては、溝１６の窪み側面に勾配が設けられており（本実施の形態では楔形であるが、逆台形形状でもよい）、吊るされるハンガー４の太さに関わらず溝１６とハンガー４にクリアランスが生じないため、効果的にハンガー４の向きを合理的に誘導することができる。
【００３７】
次に本発明の実施の形態１における洗濯乾燥装置の動作について説明する。減速機付きモータ８を連続動作させることにより、物干し竿３もまた竿回転軸５Ａ、５Ｂを中心に連続回転することとなる。物干し竿３にはハンガー４に掛けられた洗濯物が溝１６に沿って吊るされており、物干し竿３の連続回転に伴って溝１６の方向に誘導されてハンガー４と溝１６の接触角が変化し、ハンガー４と一体的に洗濯物が往復回転するように揺動運動がなされることとなる。従って、物干し竿３を軸方向に変位動作させることなく洗濯物を揺動させることができるとともに、洗濯物に触れることなく洗濯物を動かすことができるので、洗濯物の汚損を防止することとなる。
【００３８】
続いてハンガー４の具体的な動作を図３を用いて説明する。図３は本発明の実施の形態１における物干し竿の動作模式図を示したものであり、図３（ａ）〜図３（ｄ）は、物干し竿３の回転に伴い、物干し竿３の回転角を０°、９０°、１８０°、２７０°とした状態での物干し竿３を上方から鉛直下方へ見た模式図をそれぞれ示している。物干し竿３の回転に伴い、ハンガー４は揺動運動がなされることとなるが、図３（ａ）〜図３（ｄ）の順番でハンガー４の水平角度が変化していくこととなる。また、図３（ｄ）の後は図３（ａ）の状態にもどり、ハンガー４の動作は繰り返されることとなる。
【００３９】
このように、本実施の形態１によれば、物干し竿３に吊るされた洗濯物を鉛直軸中心に往復回転するように揺動運動させることで吊るされた洗濯物に対して視覚的な変化を少なくすることができ、室内で使用される場合でも居住者が落ち着いて生活を営むことが可能となる。また物干し竿３は変位幅が生じない回転動作をおこなうことで洗濯物を鉛直軸中心に往復回転揺動させるので、物干し竿３の末端部が人や物にあたる心配をなくすことができるものである。
【００４０】
（実施の形態２）
実施の形態１と同一部分は同一符号を附し詳細な説明は省略する。図４は本発明の実施の形態２における洗濯乾燥装置の断面図を示したものである。本発明の実施の形態２における洗濯乾燥装置は、図１および図２に示す洗濯乾燥装置に対して、物干し竿３の構成が異なるものであり、図４において図１および図２と同じ構成要素については同じ符号を用い、説明を省略する。
【００４１】
図４において本発明の実施の形態２における洗濯乾燥装置は、溝１６の両縁に平行に備えられた溝の輪郭線１７は第３の仮想平面Ｘ‐Ｘ’上に存在し、物干し竿３の軸中心線Ａ−Ａ’に対して垂直となる第１の仮想平面Ｙ‐Ｙ’と平行に備えられている。従って、物干し竿３の回転角に関わらず溝の輪郭線１７の角度が物干し竿３に対して常に垂直であるため、ハンガー４を溝１６の方向にあわせて傾けることなく物干し竿３に吊るすことができ、物干し作業時の負担を軽減することができる。また、物干し竿３は物干し竿３の軸中心線であるＡ‐Ａ’に対して上方に偏芯させたＢ‐Ｂ’上に支軸として機能する竿回転軸５Ａおよび竿回転軸５Ｂが備えられている。
【００４２】
次に本発明の実施の形態２における洗濯乾燥装置の動作について説明する。減速機付モータを正反転動作させることにより、物干し竿３は物干し竿３の軸中心線であるＡ‐Ａ’から偏芯した偏芯支軸であるＢ‐Ｂ’を回転軸とした振り子動作をおこなう。物干し竿３を動作させるエネルギーの削減を図ることができる。
【００４３】
このように、本実施の形態２によれば、物干し竿３を振り子動作させることによりエネルギー保存則がはたらき、物干し竿３を動作させるエネルギーの削減を図ることができるものである。
【００４４】
（実施の形態３）
実施の形態１、２と同一部分は同一符号を附し詳細な説明は省略する。図５（ａ）は本発明の実施の形態３における洗濯乾燥装置の断面図を示したものであり、図５（ｂ）は、本発明の実施の形態３における物干し竿Ｗ−Ｗ’の断面図である。本発明の実施の形態３における洗濯乾燥装置は、図１および図２に示す洗濯乾燥装置に対して、動作基台２Ａの内部構成が異なるものであり、図５において図１および図２と同じ構成要素については同じ符号を用い、説明を省略する。
【００４５】
図５において本発明の実施の形態３における動作基台２Ａの内部構成について説明する。動作基台２Ａの筐体６Ａには筐体６Ａに保持された軸受７Ａが備えられ、物干し竿３が軸受７Ａによりラジアル方向に回転自在に支持されている。具体的には、筐体６Ａに導入されているＡ‐Ａ’を中心とする物干し竿３の竿回転軸５Ａが軸受７Ａでラジアル方向に回転自在に支持されている。また、動作手段としてモータとしての減速機付きモータ８と、揺動スライダークランク機構としてのクランク２０とカムフォロア２１とスライダー２２が用いられている。減速機付きモータ８は筐体６Ａの内部に防振部材（図示せず）を介在させて収容され、この減速機モータ８の出力軸１２にはクランク２０が、出力軸１２から偏芯したクランク２０上にカムフォロア２１が備えられている。一方、筐体６Ａに導入されているＡ‐Ａ’を中心とする物干し竿３の竿回転軸５Ａには、長穴２３を有したスライダー２２が備えられており、スライダー２２の長穴２３内にカムフォロア２１が位置することとなっている。減速機付きモータ８のモータ部（図示せず）は単純に一方向のみに一定速度で回転できればよく、例えば誘導交流モータなどが用いられる。
【００４６】
次に、本発明の実施の形態３における洗濯乾燥装置の動作について説明する。減速機付きモータ８を一定速度かつ同一方向へ回転駆動をさせるとカムフォロア２１は出力軸１２から一定量偏芯した位置で出力軸１２の周りを回転する。スライダー２２はカムフォロア２１に従動してＡ−Ａ’を中心に往復回転揺動をおこなうこととなり、物干し竿３もまたＡ‐Ａ’を軸とした往復回転揺動をおこなうこととなる。
【００４７】
このように、本実施の形態３によれば、減速機付きモータ８の回転制御をおこなうことなく減速機付きモータ８の回転方向が一方向のみで物干し竿３を往復回転揺動をおこなうことができるので、装置のコストを安価にすることができるものである。
【００４８】
（実施の形態４）
実施の形態１乃至３と同一部分は同一符号を附し詳細な説明は省略する。図６は本発明の実施の形態４における洗濯乾燥装置の外観斜視図を示したものであり、図７は、本発明の実施の形態４における洗濯乾燥装置の送風ユニットの断面図である。本発明の実施の形態４における洗濯乾燥装置は、図１および図２および図４および図５に示す洗濯乾燥装置の上部に、送風ユニットを付加したものであり、図６および図７において図１および図２および図４および図５と同じ構成要素については同じ符号を用い、説明を省略する。
【００４９】
図６および図７において本発明の実施の形態４における洗濯乾燥装置は、物干し竿３の上部には天井３０に設置された送風ユニット３１が備えられ、送風ユニット３１には支持アーム１Ａ、１Ｂを介して、動作基台２Ａ、支持基台２Ｂが固定されている。送風ユニット３１には、洗濯物に対して送風できる送風手段としてのクロスフローファン３２と、洗濯物から放散される水蒸気を排出するための排気手段としての排気ファン３３と、クロスフローファン３２と排気ファン３３が同軸で回転できるようにモータ３４が備えられている。クロスフローファン３２は室内空気を循環送風できるものであり、吸込口３５から吸込んだ室内空気を吐出口３６から送風することができる。また、排気ファン３３は排気口３７から室内空気を吸込み、ダクト３８を介して屋外へ排出することができる。
【００５０】
吐出口３６は物干し竿３の近傍となる物干し竿３の直上（本実施の形態では例えば１５ｃｍ直上）に位置しており、洗濯物の中心となる物干し竿３に対して送風することで洗濯物の中心に風を当てることができ、更に洗濯物の乾燥を早くできるといったことができる。また同様に、排気口３７も物干し竿３の近傍となる物干し竿３の直上（本実施の形態では例えば１５ｃｍ直上）に位置しており、洗濯物から放出される水蒸気を室内へ拡散される前に排出させることができる。また、クロスフローファン３２の回転軸（Ｃ‐Ｃ’）は物干し竿３の長軸と平行となるように備えられているので、物干し竿３に吊るされる複数の洗濯物に対して均一に送風することができる。
【００５１】
このように、本実施の形態４によれば、送風ユニット３１には空気が吹出す吐出口３６が物干し竿３に吊られた洗濯物に対して適切に送風できる位置に備えられており、送風運転をおこなうことで洗濯物の乾燥が更に効果的におこなえることとなる。
【産業上の利用可能性】
【００５２】
以上のように、本発明の洗濯乾燥装置は、衣類を物干し竿に掛けた状態で衣類の乾燥を促進することができるものであり、洗濯室、脱衣室、洗面室のほか、浴室、リビング、寝室、ベランダ、サンルーム等にも適用することができる。
【図面の簡単な説明】
【００５３】
【図１】本発明の実施の形態１における洗濯乾燥装置の断面図
【図２】本発明の実施の形態１における洗濯乾燥装置の外観斜視図
【図３】本発明の実施の形態１における物干し竿の動作模式図（（ａ）同動作順を示す図、（ｂ）同動作順を示す図、（ｃ）同動作順を示す図、（ｄ）同動作順を示す図）
【図４】本発明の実施の形態２における洗濯乾燥装置の断面図
【図５】本発明の実施の形態３における洗濯乾燥装置の断面図（（ａ）同洗濯乾燥装置の断面図、（ｂ）同洗濯乾燥装置のＷ−Ｗ’断面図）
【図６】本発明の実施の形態４における洗濯乾燥装置の外観斜視図
【図７】本発明の実施の形態４における洗濯乾燥装置の送風ユニットの断面図
【図８】従来の物干し装置の斜視図
【符号の説明】
【００５４】
１Ａ  支持アーム
１Ｂ  支持アーム
２Ａ  動作基台
２Ｂ  支持基台
３    物干し竿
４    ハンガー
８    減速機付きモータ
１６  溝
１７  溝の輪郭線
１８  溝の窪み最深部
２０  クランク
２１  カムフォロア
２２  スライダー
３２  クロスフローファン
３３  排気ファン
３６  吐出口
Ｘ−Ｘ’  第３の仮想平面
Ｙ−Ｙ’  第１の仮想平面
Ｚ−Ｚ’  第２の仮想平面
【図１】
2008245689.tif 000003
【図２】
2008245689.tif 000004
【図３】
2008245689.tif 000005
【図４】
2008245689.tif 000006
【図５】
2008245689.tif 000007
【図６】
2008245689.tif 000008
【図７】
2008245689.tif 000009
【図８】
2008245689.tif 000010